(57)【要約】【課題】  インナーロータとアウターロータ等のロータを備えたオイルポンプにおいて、合成樹脂製のインナーロータとこのインナーロータと回転駆動するシャフトとの接続でシャフトにインナーロータを空転不能に装着固定すること。【解決手段】  合成樹脂製のインナーロータ３と、該インナーロータ３を回転させるシャフトＡとからなること。前記インナーロータ３の成形と共に前記シャフトＡが鋳込み成形されること。前記インナーロータ３に対して前記シャフトＡが貫通する接触領域内に起伏状係止部Ａ1 が形成されてなること。該起伏状係止部Ａ1 は、ピン部材７と前記シャフトＡに形成された貫通孔６とからなり、前記ピン部材７には、溶融した樹脂が流入する樹脂受け７ａが形成され、前記貫通孔６に前記ピン部材７が嵌入され、その長手方向両端が前記シャフトＡの外周表面から突出してなること。【選択図】      図１
2006348919.tif 000002
【特許請求の範囲】
【請求項１】
合成樹脂製のインナーロータと、該インナーロータを回転させるシャフトとからなり、前記インナーロータの成形と共に前記シャフトが鋳込み成形され、前記インナーロータに対して前記シャフトが貫通する接触領域内に起伏状係止部が形成されてなることを特徴とするポンプのロータ装置。
【請求項２】
請求項１において、前記起伏状係止部は、ピン部材と前記シャフトに形成された貫通孔とからなり、前記ピン部材には、溶融した樹脂が流入する樹脂受けが形成され、前記貫通孔に前記ピン部材が嵌入され、その長手方向両端が前記シャフトの外周表面から突出してなることを特徴とするポンプのロータ装置。
【請求項３】
請求項２において、前記ピン部材は中空管とし、管内を前記樹脂受けとしてなることを特徴とするポンプのロータ装置。
【請求項４】
請求項３において、前記ピン部材とした中空ピンは、軸方向に沿って連続する割り部が形成されたスプリングピンとしてなることを特徴とするポンプのロータ装置。
【請求項５】
請求項２において、前記ピン部材の長手方向両端面に窪みが形成され、該窪みを樹脂受けとしてなることを特徴とするポンプのロータ装置。
【請求項６】
請求項１において、前記起伏状係止部は、外周表面から突出する鍔状の膨大部とし、該膨大部は非円形状に形成されてなることを特徴とするポンプのロータ装置。
【請求項７】
請求項１において、前記起伏状係止部は、外周表面に係止凹み部が形成されてなることを特徴とするポンプのロータ装置。
【請求項８】
請求項１，２，３，４，５，６又は７のいずれか１項の記載において、前記起伏状係止部の周囲には、多数の小突起からなる粗面領域としたことを特徴とするポンプのロータ装置。
【請求項９】
請求項８において、前記粗面領域は、ローレット状部として形成されてなることを特徴とするポンプのロータ装置。
【発明の詳細な説明】
【技術分野】
【０００１】
本発明は、インナーロータとアウターロータ等のロータを備えたオイルポンプにおいて、合成樹脂製のインナーロータとこのインナーロータと回転駆動するシャフトとの接続でシャフトにインナーロータを空転不能に装着固定するためのポンプのロータ装置に関する。
【背景技術】
【０００２】
近年、トロコイド歯車からなるインナーロータ及びアウターロータを使用したオイルポンプにおいて、そのロータが合成樹脂から形成されたものが多く使用されている。そのインナーロータに駆動軸が装着され、駆動源から駆動軸を介してインナーロータを回転させるものである。
【０００３】
このような合成樹脂製のインナーロータに駆動軸を装着する場合は、金属製のインナーロータに駆動軸を装着する構造のようにキーを使用する構造とは相違する。すなわち、合成樹脂製のインナーロータと金属製の駆動軸とは材質が全く相違し、その硬さも相違するので、金属同士の部材のような装着構造とならない。また、駆動軸とインナーロータとの間にガタが生じるような構造であってはならない。
【特許文献１】実開昭５８−２９１８３号
【発明の開示】
【発明が解決しようとする課題】
【０００４】
ところで、特許文献１に開示されている内容では、オイルポンプの駆動軸とインナーロータを平行ピンを介して連結されている。その平行ピンは、駆動軸をその軸方向に直交するように取り付けられている。これがインナーロータに形成された平行ピンと同形状のピン受止め孔に、駆動軸に押通された平行ピンごと内嵌され、駆動軸及びインナーロータ間が連結されている。
【０００５】
平行ピンをピン受止め孔に周方向変位不能に内嵌することは、内嵌時に突出した平行ピン端部がピン受止め穴の両壁に当接させながら挿入されると考えられ、平行ピンに加わる機械的ストレスによって、平行ピンの損傷や、変形が生じる可能性がある。それによって、平行ピンとインナーロータ（ピン受止め孔）との接触面の偏磨耗や、平行ピンとピン受止め孔との接触が不良となり、ノイズが発生しやすくなる。本発明の目的は、金属製の駆動軸と、合成樹脂製のインナーロータの結合強度を向上させると共に、加工を行ないやすくし、ガタが生じないようにすることにある。
【課題を解決するための手段】
【０００６】
そこで、発明者は、上記課題を解決すべく、鋭意，研究を重ねた結果、請求項１の発明を、合成樹脂製のインナーロータと、該インナーロータを回転させるシャフトとからなり、前記インナーロータの成形と共に前記シャフトが鋳込み成形され、前記インナーロータに対して前記シャフトが貫通する接触領域内に起伏状係止部が形成されてなるポンプのロータ装置としたことにより、上記課題を解決した。
【０００７】
請求項２の発明は、前述の構成において、前記起伏状係止部は、ピン部材と前記シャフトに形成された貫通孔とからなり、前記ピン部材には、溶融した樹脂が流入する樹脂受けが形成され、前記貫通孔に前記ピン部材が嵌入され、その長手方向両端が前記シャフトの外周表面から突出してなるポンプのロータ装置としたことにより、上記課題を解決した。請求項３の発明は、前述の構成において、前記ピン部材は中空管とし、管内を前記樹脂受けとしてなるポンプのロータ装置としたことにより、上記課題を解決した。
【０００８】
請求項４の発明は、前述の構成において、前記ピン部材とした中空ピンは、軸方向に沿って連続する割り部が形成されたスプリングピンとしてなるポンプのロータ装置としたことにより、上記課題を解決した。次に、請求項５の発明は、前述の構成において、前記ピン部材の長手方向両端面に窪みが形成され、該窪みを樹脂受けとしてなるポンプのロータ装置としたことにより、上記課題を解決した。請求項６の発明は、前述の構成において、前記起伏状係止部は、外周表面から突出する鍔状の膨大部とし、該膨大部は非円形状に形成されてなるポンプのロータ装置としたことにより、上記課題を解決した。
【０００９】
請求項７の発明は、前述の構成において、前記起伏状係止部は、外周表面に係止凹み部が形成されてなるポンプのロータ装置としたことにより、上記課題を解決した。請求項８の発明は、前述の構成において、前記起伏状係止部の周囲には、多数の小突起からなる粗面領域としたポンプのロータ装置としたことにより、上記課題を解決した。請求項９の発明は、前述の構成において、前記粗面領域は、ローレット状部として形成されてなるポンプのロータ装置としたことにより、上記課題を解決したものである。
【発明の効果】
【００１０】
請求項１の発明によって、合成樹脂製のインナーロータの成形と共にシャフトが鋳込み成形され、前記インナーロータに対して前記シャフトが貫通するインナーロータとの接触領域内に起伏状係止部が形成されているものである。従来の工程では、ロータとシャフトとを空転しないように、ピンを介して固定するときに、そのピンを圧入手段等により、強く押し込まなくてはならず、またその過程において平行ピンには機械的ストレスが加わり、平行ピンの損傷や、変形が生じる可能性があった。本発明では、前述したように、シャフトは、インナーロータに対して鋳込み成形されるものであり、そのインナーロータとシャフトとを組立る工程で、インナーロータ及びシャフト及び起伏状係止部に機械的ストレスがほとんどかかることがない。
【００１１】
また、樹脂成形されるインナーロータが成形後の冷却の過程で、樹脂と金属との線膨張係数の違いによってインナーロータが大きく収縮し、金属類のシャフトは収縮率が小さいので、インナーロータがシャフトに対して圧縮する力が常時加わることになり、前記起伏状係止部の回り止め効果も含め、より一体的になり、シャフトと樹脂インナーロータの結合強度が高くなるものである。さらに、シャフトの起伏状係止部は、インナーロータに鋳込まれることにより、その起伏状係止部全体がインナーロータ内部に被覆されることとなる。
【００１２】
次に、請求項２の発明は、前記起伏状係止部は、ピン部材と前記シャフトに形成された貫通孔とからなり、前記ピン部材が前記貫通孔に嵌入されたものとした。これによって、起伏状係止部を簡単に組み立てることができる。また、ピン部材には樹脂受けが形成されており、この樹脂受けには、インナーロータを樹脂成形するための溶融した樹脂材が流入し、樹脂の硬化によって、その樹脂が樹脂受けに食い込み状態となり、ひいてはインナーロータとシャフトとの、より一層強固なる結合とすることができる。
【００１３】
さらに、シャフトは起伏状係止部と共にインナーロータに鋳込むことで、ピン部材は貫通孔にほんの僅かだけ、手作業で押し込めることができる程度にきつめに挿入することができれば良く、後はインナーロータへの鋳込みによって、インナーロータの内部に被覆状態となって、ピン部材が固定されることになり、インナーロータとシャフトの起伏状係止部とが相乗的に強固に接合しあうことができるものである。
【００１４】
請求項３の発明は、前記ピン部材を中空管としたことで、中空ピンの内部にも樹脂が流れ込み、一体性が高く、中空ピンとしたピン部材とシャフトとの結合力及びシャフトとインナーロータの結合強度を共に向上させることができる。さらに、中空ピンをシャフトに圧入してインナーロータとシャフトの鋳込を行なうので、鋳込時のピン部材のシャフトからの脱落を防止でき、製造効率を向上させることができる。
【００１５】
請求項４の発明は、筋形状の割り部が形成された割りピン（スプリングピン）としたことにより、該スプリングピンは周方向に弾性的に変化できるので、シャフトの貫通孔への挿入作業において貫通孔の孔加工には精度の高いものでなくて済ませることができ、圧入加工、成形加工がしやすく、加工工数も削減できる。さらに、鋳込時におけるインナーロータを成形する溶融した樹脂がスプリングピンの筋形状の割り部からも進入し、製造効率を向上させるものである。また、請求項５の発明においても、前記ピン部材の長手方向両端面に窪みが形成され、該窪みを樹脂受けとしたもので、その窪みに樹脂が食い込み、インナーロータとシャフトとの強固なる結合とすることができる。                            
【００１６】
請求項６の発明は、前記起伏状係止部は、外周表面から突出する鍔状の膨大部とし、該膨大部は非円形状に形成されたことにより、起伏状係止部のインナーロータへの占有領域も多くなり、インナーロータとシャフトとは、より一層強固に結合させることができるものである。請求項７の発明は、前記起伏状係止部は、外周表面に係止凹み部が形成されたことで、鋳込時におけるインナーロータの溶融した樹脂がその係止凹み部に入り込むことにより、インナーロータとシャフトが強固に結合でき、且つ実質的にインナーロータの体積も増加し、ひいてはインナーロータの力学的強度も増加させることができる。
【００１７】
請求項８の発明は、前記起伏状係止部の周囲には、多数の小突起からなる粗面領域とし、鋳込から冷却硬化するインナーロータとシャフトとの食い付きを前記粗面領域を介して、そのインナーロータとシャフトとの接触面の略全体に亘って良好となり、インナーロータとシャフトとを強固な結合にできる。また、請求項９では前記起伏状係止部は、前記粗面領域は、ローレット状部に形成されることにより、インナーロータとシャフトとの接触面の略全体に亘って良好とすることができると共に、規則正しく形成されるローレット加工は、成形も機械成形ができ、製造効率を向上させることができる。
【発明を実施するための最良の形態】
【００１８】
以下、本発明を図面に基づいて説明する。まず、本発明におけるオイルポンプは、図１（Ａ）に示すように、ポンプボディ１，ポンプカバー２，インナーロータ３及びアウターロータ４は、合成樹脂製であり、前記インナーロータ３を回転させるシャフトＡは金属製である。また、前記ポンプボディ１とポンプカバー２は、アルミもしくは鉄等の金属材で形成されることもある。そして、ポンプボディ１とポンプカバー２とはセットネジにより結合されポンプケーシングが構成される。
【００１９】
前記ポンプボディ１内には、図には示さないが、間仕切部、吸入ポート、吐出ポートが形成されている。また、前記インナーロータ３及びアウターロータ４は、図４に示すように、たとえばトロコイド歯形を有するもので、前記インナーロータ３には外周にトロコイド歯形が形成され、アウターロータ４には内周側にトロコイド歯形が形成されている。前記アウターロータ４のトロコイド歯形の歯数に対して前記インナーロータ３の歯数は少なく形成されている。そして、インナーロータ３の回転により、アウターロータ４も回転し、前記インナーロータ３のトロコイド歯形と、アウターロータ４のトロコイド歯形が相互に接触して歯間同士による空隙室すなわちセルを構成し、このセルに流体を閉じ込めて、インナーロータ３とアウターロータ４の回転と共に流体が移送される。
【００２０】
また、前記インナーロータ３の径方向中央には、図１（Ｂ），（Ｃ）に示すように、前記シャフトＡが装着される。そのシャフトＡは、前記インナーロータ３が金型等を介して樹脂成形されるときに、鋳込により装着される。すなわち、金型に予めシャフトＡが配置され、金型の湯口から溶融した樹脂が注湯され、金型内で樹脂が硬化すると共に前記シャフトＡが強固に固着されるものである。そのシャフトＡは、前記インナーロータ３を回転駆動させるものであり、シャフトＡの軸本体５に起伏状係止部Ａ1 が形成されたものである。該起伏状係止部Ａ1 は、前記インナーロータ３との軸方向における接触範囲内に形成され、その樹脂が起伏状係止部Ａ1 の突起又は凹み箇所に入り込むことにより、インナーロータ３とシャフトＡとが極めて強固に結合できる。
【００２１】
そのシャフトＡの起伏状係止部Ａ1 には、複数の実施形態が存在する。その起伏状係止部Ａ1 の第１の実施形態としては、図１（Ｂ），（Ｃ）及び図２に示すように、シャフトＡの軸本体５のインナーロータ３との接触領域に形成された貫通孔６とピン部材７とから構成される。前記貫通孔６は軸本体５の軸方向に直交（略直交も含まれる）に形成されたものである。前記ピン部材７は前記貫通孔６に対して貫通され、しかも、そのピン部材７の軸方向の両端箇所は前記軸本体５の外周面から突出した状態とする。
【００２２】
また、前記貫通孔６に対して、ピン部材７は、圧入により固定される構造とすることもある。前記貫通孔６の断面形状は、前記ピン部材７の断面形状にもよるが、通常は円である。また圧入による固定のため、貫通孔６の内径は、ピン部材７の外径より僅かに小さい程度で、しまり嵌めとなる寸法公差が適用される。これによって、軸本体５に貫通されたピン部材７の長手方向両端が突出することによって、起伏状係止部Ａ1 が構成されるものである。このように、ピン部材７を前記貫通孔６に貫通させて、前記ピン部材７の長手方向両端箇所を軸本体５の外周面から適当な長さだけ突出した状態で、前記インナーロータ３の金型による樹脂成形時に鋳込むことで、シャフトＡをインナーロータ３に強固に装着することができる。
【００２３】
そのピン部材７には、樹脂受け７ａが形成されている。該樹脂受け７ａには、インナーロータ３にシャフトＡを鋳込むときに、溶融した樹脂が流入する部分であり、その溶融した樹脂が硬化してインナーロータ３の樹脂成形が完了したときに、その樹脂受け７ａと該樹脂受け７ａに流入して硬化した樹脂とがインナーロータ３とシャフトＡとを強固に結合することになる。
【００２４】
その樹脂受け７ａは、様々なタイプが有り、その第１タイプとしては、図１，図２に示すように、ピン部材７を中抜き，筒状又は管状とした中空ピンとし、その中空内部を管路状樹脂受け７ａ1 としたものである。この中空ピンとしたものでは、管路状樹脂受け７ａ1 は、管状であり、前記インナーロータ３にシャフトＡを鋳込み成形するときに、図３（Ａ）乃至（Ｃ）に示すように、溶融した樹脂ｒがその管路状樹脂受け７ａ1 の内部に流れ込むことにより、インナーロータ３とシャフトＡの起伏状係止部Ａ1 との係止力がより一層強固となり、結合強度が高くなる。そのピン部材７の本数は、通常は、１本であるが、必要に応じてその本数を２本又は３本等の複数本としてもよい。そして複数本のピン部材７を使用するときには、その挿入構造をピン部材７同士が交差するような配置とすることがより一層好ましい。
【００２５】
また、本発明では、上述したように、成形前にピン部材７（中空ピンを含む）を圧入しているため、前記シャフトＡの型込めの時には、ピン部材７をシャフトＡから脱落することがなく、よって、インナーロータ３への鋳込による一体成形が容易となる。さらに、ピン部材７をシャフトＡの貫通孔６に圧入とした場合には、ピン部材７の端部がシャフトＡ（の軸本体５）の外周面の直径方向両側から突出させたものである。よって、その両側部分の突出量を調整し易く、シャフトＡの直径方向両側におけるピン部材７の突出長さを互いに均等にすることができる。
【００２６】
また、前記ピン部材７として、図５（Ａ）に示すように、軸方向に沿って連続する筋形状の割り部７ｂが形成されたスプリングピン（割りピン）が使用されることもある。該スプリングピンを使用することにより、シャフトＡの貫通孔６への挿入を行ない易い。そのスプリングピンとしたピン部材７は、その軸方向に沿って隙間とした離間状の割り部７ｂが形成され、該割り部７ｂによって、周方向において弾性的な部材であるため、その外径が変化自在となるので、シャフトＡの貫通孔６の内径の加工には、高い精度が必要ないものである。すなわち、前記貫通孔６の加工誤差をスプリングピンとしたピン部材７の弾性によって吸収することができるので、圧入し易く、加工が容易となるものであり〔図５（Ｂ）参照〕、ひいては、製造効率を高めることができる。また、ピン部材７をスプリングピンとした場合には、鋳込時において、前記インナーロータ３を成形する溶融した樹脂ｒがスプリングピンの割り部７ｂからも進入し、製造効率を向上させるものである〔図５（Ｃ）参照〕。
【００２７】
次に、前記樹脂受け７ａの第２タイプとしては、ピン部材７の軸方向両端箇所に窪み７ａ2 として形成されたものである。この窪み７ａ2 に溶融した樹脂が入り込むものである。この窪み７ａ2 の第１形状としては、図６（Ａ），（Ｂ）に示すように、ピン部材７の軸方向の両端面に軸方向に沿って貫通しない浅い穴状の軸端窪みが形成されたものである。また、その窪み７ａ2 の第２形状としては、図７（Ａ），（Ｂ）に示すように、ピン部材７の軸方向両端箇所にその直径方向に沿って径方向筋溝として形成されたものが存在する。さらに、前記窪み７ａ2 の第３形状としては、図８（Ａ），（Ｂ）に示すように、ピン部材７の軸方向両端箇所にその軸方向に沿って軸方向筋溝として形成されたものが存在する。
【００２８】
次に、前記起伏状係止部Ａ1 の第２実施形態を説明する。その起伏状係止部Ａ1 としては、前記インナーロータ３と係止する部位に放射方向に突出した鍔状の膨大部８が形成されている。その膨大部８の平面形状としては、図９（Ａ），（Ｃ）に示すように、略「０」字形状又はカプセル状，長円形状としたものである。そして、前記膨大部８は、そのシャフトＡ（の軸本体５）の直径方向における１組の対向する外周面は平坦部とし、これら１組の平坦部と直交する他の外周面は円周側面として形成されたものである。その対向する両平坦部の間隔は、シャフトＡの軸本体５の直径と略等しく形成される。その膨大部８は、焼結、ダイカスト等の手法により、シャフトＡの成形時に形成されることもあるが、前記膨大部８がシャフトＡとは別部材として、シャフトＡの軸本体５に圧入されて一体化することもあり、その製造には限定されない。
【００２９】
その膨大部８のシャフトＡの径方向における突出部分は、２箇所でなく、放射状に複数箇所形成させることもある。また、前記膨大部８の形状として、そのシャフトＡの軸方向正面より見て、正方形又は長方形等の４角形状に形成されたり〔図１０（Ｂ）参照〕、又はボルト頭部やナット等のように６角形状としても良いし〔図１０（Ａ）参照〕、それ以上の多角形状とすることもあり、その膨大部８の外周面が多角面として形成されている。      
【００３０】
前記起伏状係止部Ａ1 の第３実施形態としては、図１１（Ａ），（Ｂ）に示すように、シャフトＡの軸本体５に径方向に凹ませた係止凹み部９が形成されたものである。この係止凹み部９は、溝形状であり、前記シャフトＡ（の軸本体５）の長手方向に直交する方向で、且つ前記シャフトＡ（の軸本体５）の直径方向両側に対向するようにして、２つ形成されている。この係止凹み部９の底面は、直線状且つ平坦状である。その底面の幅方向における両側壁面は、前記シャフトＡの長手方向に直角な面である。
【００３１】
さらに前記係止凹み部９の底面形状は、円弧状の面としてもよい。また、前記係止凹み部９は、シャフトＡの径方向に２箇所でなく、シャフトＡの断面周方向に複数箇所配置させても構わない。さらに、前記係止凹み部９は、前記シャフトＡの周方向に溝を形成したもので、その底面部は円周状としたり、軸方向に直交する断面を４角形状としたり、又は６角形状等としても良い。
【００３２】
次に、第４実施形態としては、図１２（Ａ）に示すように、前記起伏状係止部Ａ1 の周囲に、多数の小突起１０ａ，１０ａ，…からなる粗面領域１０とし、この小突起１０ａ，１０ａ，…は、略おろし金の表面のように、多数の小突起１０ａ，１０ａ，…を形成して、粗面を成形したものである。この粗面領域１０をインナーロータとの接触面に亘ってシャフトＡに形成することで、図１２（Ｂ）に示すように、インナーロータ３と鋳込によるシャフトＡとの食いつきが強固となり、インナーロータ３とシャフトＡとの結合力を極めて強くすることができるものである。図１２（Ａ）は、前記粗面領域１０に前記ピン部材７を装着したものである。さらに、その粗面領域１０において、図１３（Ａ），（Ｂ）に示すように、これをローレット状部１０ｂとすることで、そのローレット状加工が、規則正しく形成されるものであり、よって成形も機械成形ができ、製造効率を向上させることができる。図１３（Ａ）は、前記ローレット状部１０ｂとした粗面領域１０に前記ピン部材７を装着したものである。
【００３３】
上述したように、インナーロータ３に対してシャフトＡは、その起伏状係止部Ａ1 と共に鋳込成形されるものである。そして、前記インナーロータ３とシャフトＡとの一体成形において、鉄等の金属材と合成樹脂との線膨張係数は違うので、前記インナーロータ３にシャフトＡの起伏状係止部Ａ1 箇所が鋳込まれた後に、その冷却の過程で、樹脂であるインナーロータ３は大きく収縮するが、金属類のシャフトＡは収縮率が小さく、そのために、前記インナーロータ３がシャフトＡ（径方向内側に）に対して圧縮する力を常時加わえることになる。そして、その起伏状係止部Ａ1 による回り止め効果と共に、より一体的になり、シャフトＡとインナーロータ３の結合強度が高くなる。
【００３４】
本発明では、トロコイド歯形を有するインナーロータ３及びアウターロータ４とからなるオイルポンプにて説明したが、ロータが合成樹脂のものであれば、種々の歯車ポンプに適用されても構わない。
【図面の簡単な説明】
【００３５】
【図１】（Ａ）は本発明におけるポンプの縦断側面図、（Ｂ）は起伏状係止部の第１実施形態としてインナーロータにシャフトが鋳込まれた縦断側面図、（Ｃ）は（Ｂ）のＸ1 −Ｘ1 矢視断面図である。
【図２】（Ａ）はピン部材が装着されたシャフトの斜視図、（Ｂ）はシャフトと、ピン部材とを分離した状態の斜視図である。
【図３】（Ａ）乃至（Ｃ）はピン部材の樹脂受けに溶融した樹脂が入り込む状態を示す要部を拡大した工程図、（Ｄ）はピン部材に樹脂が適正に入りこんだ状態の要部断面図である。
【図４】ポンプボディの平面図である。
【図５】（Ａ）はピン部材をスプリングピンとした斜視図、（Ｂ）はピン部材とシャフトの貫通孔との誤差をピン部材の弾性にて吸収している状態を示す作用図、（Ｃ）はピン部材の割り部から溶融した樹脂が入り込む状態の作用図である。
【図６】（Ａ）は樹脂受けを軸方向両端に設けた窪みとしたピン部材の斜視図、（Ｂ）はその樹脂受けに樹脂が入り込んだ状態の要部拡大断面図である。
【図７】（Ａ）は樹脂受けを軸方向両端に設けた直径方向の溝形状としたピン部材の斜視図、（Ｂ）はその樹脂受けに樹脂が入り込んだ状態の要部拡大断面図である。
【図８】（Ａ）は樹脂受けを軸方向両端に設けた軸方向の溝形状としたピン部材の斜視図、（Ｂ）はその樹脂受けに樹脂が入り込んだ状態の要部拡大断面図である。
【図９】（Ａ）はシャフトの起伏状係止部の第２実施形態として膨大部が形成されたシャフトの要部斜視図、（Ｂ）はインナーロータにシャフトが鋳込形成された縦断側面図、（Ｃ）は（Ｂ）のＸ2 −Ｘ2 矢視断面図である。
【図１０】（Ａ）は膨大部を六角形状としたピン部材の要部斜視図、（Ｂ）は膨大部を方形状としたピン部材の要部斜視図である。
【図１１】（Ａ）は起伏状係止部の第３実施形態として係止凹み部が形成されたシャフトの要部斜視図、（Ｂ）は係止凹み部に樹脂が入り込んだ状態の要部縦断正面図である。
【図１２】（Ａ）は起伏状係止部の第４実施形態として多数の小突起からなる粗面領域が形成されたシャフトの要部斜視図、（Ｂ）はその粗面領域に樹脂が食いついた状態の要部拡大断面図である。
【図１３】（Ａ）は起伏状係止部の第４実施形態としてローレット状とした粗面領域が形成されたシャフトの要部斜視図、（Ｂ）はその粗面領域に樹脂が食いついた状態の要部拡大断面図である。
【符号の説明】
【００３６】
３…インナーロータ、Ａ…シャフト、Ａ1 …起伏状係止部、７…ピン部材、
貫通孔…６、樹脂受け…７ａ、割り部…７ｂ、窪み…７ａ2 、膨大部…８、
９…係止凹み部、１０ａ…小突起、１０…粗面領域、１０ｂ…ローレット状部。
【図１】
2006348919.tif 000003
【図２】
2006348919.tif 000004
【図３】
2006348919.tif 000005
【図４】
2006348919.tif 000006
【図５】
2006348919.tif 000007
【図６】
2006348919.tif 000008
【図７】
2006348919.tif 000009
【図８】
2006348919.tif 000010
【図９】
2006348919.tif 000011
【図１０】
2006348919.tif 000012
【図１１】
2006348919.tif 000013
【図１２】
2006348919.tif 000014
【図１３】
2006348919.tif 000015